(57)【要約】【課題】アルバムに含める画像を選択すること。【解決手段】制御装置１０４は、撮影時間ごとの撮影枚数の分布を演算して各分割時間帯ごとに画像を分類し、各撮影時間帯ごとに撮影時間間隔が所定の閾値以下の画像を再分割時間帯ごとにグループ化する。そして、制御装置１０４は、各分割時間帯ごとに、最も多くの画像が含まれる再分割時間帯の中から１枚のアルバム表示用画像を選択し、選択したアルバム表示用画像をモニタ１０６にスライドショー表示する。【選択図】図１
2011128938.tif 000002
【特許請求の範囲】
【請求項１】
所定の撮影時間ごとに画像を分類する画像分類手段と、
前記画像分類手段によって分類された各分類ごとに、撮影時間間隔が所定の閾値以下の画像を選択グループとして選択する選択グループ選択手段と、
前記各分類ごとに、前記選択グループの中から最も多くの画像が含まれる選択グループを優先選択グループとして選択し、前記優先選択グループに含まれる画像の中からアルバム表示用画像を選択するアルバム表示用画像選択手段と、
前記アルバム表示用画像選択手段によって選択された前記アルバム表示用画像を表示装置に表示する表示手段とを備えることを特徴とする画像表示装置。
【請求項２】
請求項１に記載の画像表示装置において、
前記アルバム表示用画像選択手段が選択する前記アルバム表示用画像の枚数を指定する枚数指定手段をさらに備え、
前記アルバム表示用画像選択手段は、選択した前記アルバム表示用画像が前記枚数指定手段によって指定された指定枚数になるまで、前記アルバム表示用画像の選択を繰り返すことを特徴とする画像表示装置。
【請求項３】
請求項２に記載の画像表示装置において、
前記アルバム表示用画像選択手段は、前記アルバム表示用画像を選択した前記選択グループを前記優先選択グループから除外し、全ての前記優先選択グループを対象として前記アルバム表示用画像の選択を行なっても選択した前記アルバム表示用画像が前記指定枚数よりも少ない場合には、前記優先選択グループから除外した前記選択グループを再度優先選択グループとして選択して前記アルバム表示用画像の選択を行なうことを特徴とする画像表示装置。
【請求項４】
請求項１〜３のいずれか一項に記載の画像表示装置において、
前記アルバム表示用画像選択手段は、前記優先選択グループに含まれる画像の中から複数枚の候補画像を選択し、
前記表示手段は、前記アルバム表示用画像選択手段によって選択された前記複数枚の候補画像を前記表示装置に表示するとともに、使用者が前記複数枚の候補画像の中から前記アルバム表示用画像を選択するためのユーザインタフェースを前記表示装置に表示することを特徴とする画像表示装置。
【請求項５】
所定の撮影時間ごとに画像を分類する画像分類手順と、
前記画像分類手順で分類された各分類ごとに、撮影時間間隔が所定の閾値以下の画像を選択グループとして選択する選択グループ選択手順と、
前記各分類ごとに、前記選択グループの中から最も多くの画像が含まれる選択グループを優先選択グループとして選択し、前記優先選択グループに含まれる画像の中からアルバム表示用画像を選択するアルバム表示用画像選択手順と、
前記アルバム表示用画像選択手順で選択された前記アルバム表示用画像を表示装置に表示する表示手順とをコンピュータに実行させるための画像表示プログラム。
【発明の詳細な説明】
【技術分野】
【０００１】
本発明は、画像表示装置、および画像表示プログラムに関する。
【背景技術】
【０００２】
次のような電子アルバム装置が知られている。この電子アルバム装置は、画像をグループ分けして、グループごとにグループ内の全ての画像を含むアルバムを作成するに際して、各グループ内で最も解像度が高い画像をアルバムの表紙画像として選択する（例えば、特許文献１）。
【先行技術文献】
【特許文献】
【０００３】
【特許文献１】特開２００３−５８８６７号公報
【発明の概要】
【発明が解決しようとする課題】
【０００４】
しかしながら、従来の電子アルバム装置では、グループ内の全ての画像を含むアルバムを作成するため、撮影者が重要とは考えない画像もアルバムに含まれてしまう可能性があった。
【課題を解決するための手段】
【０００５】
本発明による画像表示装置は、所定の撮影時間ごとに画像を分類する画像分類手段と、画像分類手段によって分類された各分類ごとに、撮影時間間隔が所定の閾値以下の画像を選択グループとして選択する選択グループ選択手段と、各分類ごとに、選択グループの中から最も多くの画像が含まれる選択グループを優先選択グループとして選択し、優先選択グループに含まれる画像の中からアルバム表示用画像を選択するアルバム表示用画像選択手段と、アルバム表示用画像選択手段によって選択されたアルバム表示用画像を表示装置に表示する表示手段とを備えることを特徴とする。
本発明では、アルバム表示用画像選択手段が選択するアルバム表示用画像の枚数を指定する枚数指定手段をさらに備え、アルバム表示用画像選択手段は、選択したアルバム表示用画像が枚数指定手段によって指定された指定枚数になるまで、アルバム表示用画像の選択を繰り返すようにしてもよい。
アルバム表示用画像選択手段は、アルバム表示用画像を選択した選択グループを優先選択グループから除外し、全ての優先選択グループを対象としてアルバム表示用画像の選択を行なっても選択したアルバム表示用画像が指定枚数よりも少ない場合には、優先選択グループから除外した選択グループを再度優先選択グループとして選択してアルバム表示用画像の選択を行なうようにしてもよい。
アルバム表示用画像選択手段は、優先選択グループに含まれる画像の中から複数枚の候補画像を選択し、表示手段は、アルバム表示用画像選択手段によって選択された複数枚の候補画像を表示装置に表示するとともに、使用者が複数枚の候補画像の中からアルバム表示用画像を選択するためのユーザインタフェースを表示装置に表示するようにしてもよい。
本発明による画像表示プログラムは、所定の撮影時間ごとに画像を分類する画像分類手順と、画像分類手順で分類された各分類ごとに、撮影時間間隔が所定の閾値以下の画像を選択グループとして選択する選択グループ選択手順と、各分類ごとに、選択グループの中から最も多くの画像が含まれる選択グループを優先選択グループとして選択し、優先選択グループに含まれる画像の中からアルバム表示用画像を選択するアルバム表示用画像選択手順と、アルバム表示用画像選択手順で選択されたアルバム表示用画像を表示装置に表示する表示手順とをコンピュータに実行させるためのものである。
【発明の効果】
【０００６】
本発明によれば、撮影者が重要と考える画像をアルバム表示用画像として選択することができる。
【図面の簡単な説明】
【０００７】
【図１】カメラ１００の一実施の形態の構成を示すブロック図である。
【図２】アルバム作成処理の流れを示すフローチャート図である。
【図３】アルバム構成枚数に応じた撮影時間の分割例を示す図である。
【図４】分割時間帯ごとに撮影枚数の分布例を示す第１の図である。
【図５】アルバム表示用画像選択処理の流れを示すフローチャート図である。
【図６】分割時間帯ごとに撮影枚数の分布例を示す第２の図である。
【図７】分割時間帯の再分割例を示す第１の図である。
【図８】閾値として用いる平均撮影時間間隔Ａｖｅ０１の算出例を示す図である。
【図９】分割時間帯の再分割例を示す第２の図である。
【図１０】再分割時間帯ごとの画像枚数の具体例を示す図である。
【発明を実施するための形態】
【０００８】
図１は、本実施の形態におけるカメラの一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００９】
レンズ１０２は、複数の光学レンズから構成されるが、図１では代表して１枚のレンズで表している。レンズ１０２を構成するレンズには、ズーム倍率を変更するためのズームレンズや、焦点調節を行うための焦点調節用レンズ（ＡＦレンズ）等が含まれる。撮像素子１０３は、例えばＣＣＤやＣＭＯＳなどのイメージセンサーであり、レンズ１０２により結像した被写体像を撮像する。そして、撮像によって得られた画像信号を制御装置１０４へ出力する。
【００１０】
制御装置１０４は、撮像素子１０３から入力された画像信号に基づいて所定の画像形式、例えばＪＰＥＧ形式の画像データ（以下、「本画像データ」と呼ぶ）を生成する。また、制御装置１０４は、生成した画像データに基づいて、表示用画像データ、例えばサムネイル画像データを生成する。制御装置１０４は、生成した本画像データとサムネイル画像データとを含み、さらにヘッダ情報を付加した画像ファイルを生成してメモリカードスロット１０５へ出力する。
【００１１】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１２】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、使用者によってカメラ１００のモードが撮影モードに設定されると、撮像素子１０３から時系列で取得した画像の表示用画像データをモニタ１０６に出力する。これによってモニタ１０６にはスルー画が表示される。
【００１３】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１４】
本実施の形態におけるカメラは、メモリカードに記録されている撮影画像を対象としてアルバムを作成するアルバム作成機能を備えている。制御装置１０４は、使用者からの指示に基づいてアルバムの作成を行なう。制御装置１０４は、具体的には、図２に示す処理を行なってアルバムの作成を行なう。なお、図２に示す処理は、使用者によって操作部材１０１が操作されてアルバムの作成開始が指示されると起動するプログラムとして、制御装置１０４によって実行される。
【００１５】
ステップＳ１０において、制御装置１０４は、使用者からの指示に基づいて、アルバム用画像の選択を行なう。例えば、制御装置１０４は、メモリカード内に記録されている画像を一覧表示した画像選択画面をモニタ１０６に表示し、使用者によって画像選択画面上で指定された画像を、アルバムに含める画像の候補であるアルバム用画像として選択する。あるいは、制御装置１０４は、メモリカード内のフォルダを一覧表示したフォルダ選択画面をモニタ１０６に表示し、使用者によってフォルダ選択画面上で選択されたフォルダ内の画像をアルバム用画像として選択する。その後、ステップＳ２０へ進む。
【００１６】
ステップＳ２０では、制御装置１０４は、使用者からの指示に基づいて、アルバムに含める画像枚数（アルバム構成枚数）を指定する。例えば、制御装置１０４は、アルバム構成枚数の指定を使用者に促すための枚数選択画面をモニタ１０６に表示し、使用者からのアルバム構成枚数の指定を受け付ける。このとき、アルバムの構成枚数の選択肢として、１２枚、２４枚、３６枚等を用意しておき、これらの選択肢の中から使用者が任意の枚数を選べるようにしてもよいし、使用者が自由に枚数を指定できるようにしてもよい。その後、ステップＳ３０へ進む。
【００１７】
ステップＳ３０では、制御装置１０４は、使用者からの指示に基づいて、アルバムに優先して含めたい対象被写体の登録を行なう。例えば、制御装置１０４は、使用者に対して登録したい被写体の撮影を促し、それに応じて撮影された画像内の被写体を対象被写体として登録する。あるいは、制御装置１０４は、使用者に対してメモリカードに記録されている画像の中から登録したい被写体を含んだ画像の選択を促し、それに応じて選択された画像内の被写体を対象被写体として登録する。ここで登録する被写体の一例としては、人物の顔、車、飛行機、ボール等が考えられる。その後、ステップＳ４０へ進む。
【００１８】
ステップＳ４０では、制御装置１０４は、ステップＳ１０で選択したアルバム用画像のそれぞれの撮影日時を画像ファイルのヘッダ情報から読み出し、撮影日時の時間帯ごとの撮影枚数の分布を演算する。本実施の形態では、制御装置１０４は、ステップＳ１０で選択したアルバム用画像の最も早い撮影日時と最も遅い撮影日時の間を全体の撮影時間として算出し、この全体の撮影時間をステップＳ２０で選択したアルバム構成枚数で等間隔に分割する。これによって、撮影時間帯ごとの画像を分類することができる。ステップＳ４０における撮影時間の分割例を図３に示す。
【００１９】
例えば、全体の撮影時間が１２時間である場合について考える。この場合、アルバム構成枚数が１２枚である場合には１２時間を１２分割した結果、各分割時間帯は１時間となる。アルバム構成枚数が２４枚である場合には１２時間を２４分割した結果、各分割時間帯は３０分となる。アルバム構成枚数が５０枚である場合には１２時間を５０分割した結果、各分割時間帯は１４分となる。
【００２０】
また、全体の撮影時間が３日（７２時間）である場合について考える。この場合、アルバム構成枚数が１２枚である場合には７２時間を１２分割した結果、各分割時間帯は６時間となる。アルバム構成枚数が２４枚である場合には７２時間を２４分割した結果、各分割時間帯は３時間となる。アルバム構成枚数が５０枚である場合には７２時間を５０分割した結果、各分割時間帯は１．５時間となる。
【００２１】
また、全体の撮影時間が７日（１６８時間）である場合について考える。この場合、アルバム構成枚数が１２枚である場合には１６８時間を１２分割した結果、各分割時間帯は１４時間となる。アルバム構成枚数が２４枚である場合には１６８時間を２４分割した結果、各分割時間帯は７時間となる。アルバム構成枚数が５０枚である場合には１６８時間を５０分割した結果、各分割時間帯は３．４時間となる。
【００２２】
そして、制御装置１０４は、各分割時間帯ごとに撮影枚数の和を算出することによって、各分割時間帯ごとに撮影枚数の分布を演算し、演算結果をモニタ１０６に表示する。例えば、制御装置１０４は、図４に示すような各分割時間帯ごとの撮影画像枚数をグラフで表した図を上記演算結果としてモニタ１０６に表示する。その後、ステップＳ５０へ進む。
【００２３】
ステップＳ５０では、制御装置１０４は、図５で後述するアルバム表示用画像選択処理を行って、ステップＳ１０で選択したアルバム用画像の中から、実際にアルバムに含めるアルバム表示用画像を選択する。その後、ステップＳ６０へ進み、制御装置１０４は、ステップＳ５０で選択したアルバム表示用画像をメモリカード内のアルバム表示用フォルダにコピーする。なお、このときメモリカード内にアルバム表示用フォルダが存在しない場合には、制御装置１０４は、メモリカード内にアルバム表示用フォルダを作成した後、アルバム表示用画像のコピーを行う。その後、ステップＳ７０へ進む。
【００２４】
ステップＳ７０では、制御装置１０４は、アルバム表示用フォルダにコピーしたアルバム表示用画像の画像ファイルからモニタ１０６への表示用画像を読み出し、読み出した表示用画像に基づいて、モニタ１０６にアルバム表示用画像をスライドショー表示する。これによって使用者はステップＳ５０で選択されたアルバム表示用画像を確認することができる。その後、処理を終了する。
【００２５】
次に、ステップＳ５０で実行されるアルバム表示用画像選択処理について、図５に示すフローチャートを用いて説明する。なお、図５の処理は、上述したステップＳ２０で指定したアルバム構成枚数が１２枚である場合について説明するものとし、上述したステップＳ４０で分割した１２個の分割時間帯ごとの撮影画像枚数が図６に示すように分布している場合を例に説明する。なお、図６では、各分割時間帯に１〜１２の番号を付加してあり、本実施の形態では、各分割時間帯を分割時間帯１〜分割時間帯１２のように番号を付けて呼ぶこととする。
【００２６】
ステップＳ５１において、制御装置１０４は、上述したステップＳ４０で分割した各分割時間帯を、各分割時間帯内で撮影された画像の撮影時間間隔に応じて再分割する。分割時間帯の再分割方法について、図７〜図９を用いて説明する。まず、制御装置１０４は、図７に示すように、ステップＳ４０で分割した各分割時間帯の境界を画像の撮影時間間隔に基づいて変更する。
【００２７】
ここで、図７は、分割時間帯３〜５の３つの時間帯について、各画像ごと（横軸・枚数）の撮影時間間隔（縦軸・分）を表した図である。図７（ａ）においては、分割時間帯３内に撮影された画像（１３枚）の撮影時間間隔を示す領域を領域３と表し、分割時間帯４内に撮影された画像（５枚）の撮影時間間隔を示す領域を領域４と表し、分割時間帯５内に撮影された画像（１６枚）の撮影時間間隔を示す領域を領域５と表している。
【００２８】
制御装置１０４は、上述した全体の撮影時間をアルバム構成枚数で割って平均撮影時間間隔Ａｖｅ０１を算出し、このＡｖｅ０１を閾値７ａに設定する。なお、Ａｖｅ０１は、図８に示すように算出される。例えば、全体の撮影時間が１２時間である場合であって、アルバム構成枚数が１００枚である場合には、Ａｖｅ０１＝７分と算出される。
【００２９】
そして、図７（ａ）に示すように、領域３と領域４の境界、および領域４と領域５の境界で、画像の撮影時間間隔が閾値７ａ以下であるか否かを判定する。そして、制御装置１０４は、領域の境界で画像の撮影時間間隔が閾値７ａ以下である場合には、撮影時間間隔が閾値７ａよりも大きくなるまで領域の境界を変更する。
【００３０】
例えば、領域３と領域４の境界では、領域３の１３枚目の画像と領域４の１枚目の画像の撮影時間間隔７ｂが閾値７ａ以下であるため、制御装置１０４は、図７（ｂ）に示すように、画像の撮影時間間隔が閾値７ａ以下となる領域４の３枚目と４枚目の間まで、領域３と領域４の境界を移動させる。また、領域４と領域５の境界では、領域４の５枚目の画像と領域５の１枚目の画像の撮影時間間隔７ｃが閾値７ａ以下であるため、制御装置１０４は、図７（ｂ）に示すように、画像の撮影時間間隔が閾値７ａ以下となる領域５の６枚目と７枚目の間まで、領域４と領域５の境界を移動させる。
【００３１】
制御装置１０４は、このように画像の撮影時間間隔に基づいて各領域の境界を変更した後、各領域内で、撮影時間間隔がＡｖｅ０１以下の画像が２枚以上続く部分を検索し、各領域を、当該検索によって得た部分ごとに分割する。例えば、図７（ｂ）に示す領域３を分割する方法について、図９を用いて説明する。図９に示すように、制御装置１０４は、領域３の中から、画像の撮影時間間隔がＡｖｅ０１以下、すなわち閾値７ａ以下の画像が２枚以上続く部分として、領域９ａ，領域９ｂ、および領域９ｃを検索し、領域３をこの３つの部分領域９ａ〜９ｃに分割する。これによって、各分割時間帯を各分割時間帯内で撮影された画像の撮影時間間隔に応じて再分割することができ、各分割時間帯に含まれる画像のうち、撮影時間間隔が閾値７ａ以下の画像を含む部分領域ごとに画像をグループ化することができる。
【００３２】
なお、本実施の形態では、再分割した部分領域を再分割時間帯と呼びＰｅａｋと表す。また、それぞれの再分割時間帯に、分割元の領域番号と、分割元の領域内での部分領域番号を用いた名称を付けて呼ぶこととする。例えば、再分割時間帯９ａはＰｅａｋ３−１、再分割時間帯９ｂはＰｅａｋ３−２、再分割時間帯９ｃはＰｅａｋ３−３と呼ぶこととする。
【００３３】
その後、ステップＳ５２へ進み、制御装置１０４は、このように再分割を行なった各再分割時間帯（Ｐｅａｋ）ごとに、再分割時間帯内に含まれる画像の枚数を算出し、各分割時間帯ごとに、算出した画像枚数が最も多い再分割時間帯に含まれる画像の中から１枚の画像をアルバム表示用画像として選択する。これによって、再分割時間帯が存在する分割時間帯からそれぞれ１枚ずつのアルバム表示用画像が選択される。
【００３４】
本実施の形態における領域１〜１２のそれぞれについて、再分割時間帯ごとに画像枚数を算出した結果の具体例を図１０に示す。図１０では、例えば、領域１には１つの再分割時間帯Ｐｅａｋ１−１が存在し、Ｐｅａｋ１−１には５枚の画像が含まれていることを表している。また、領域２には再分割時間帯は１つも存在しないことを示している。この図１０に示す例では、再分割時間帯が存在する領域１，３，４，５，７，８，９，１１のそれぞれから１枚ずつ、すなわち合計８枚のアルバム表示用画像がまずは選択されることになる。
【００３５】
なお、各再分割時間帯に含まれる画像の中から１枚のアルバム表示用画像を選択する方法としては、制御装置１０４は、例えば、上述したステップＳ３０で登録した被写体を含む画像を優先して選択するようにする。このとき、各再分割時間帯にステップＳ３０で登録した被写体を含む画像が複数存在する場合には、その中から被写体の大きさが最も大きい画像を選択するようにすればよい。また、各再分割時間帯にステップＳ３０で登録した被写体を含む画像が存在しない場合には、手ブレが発生していない画像等の一定の選択基準を満たす画像を優先して選択してもよいし、制御装置１０４がランダムに１枚の画像を選択してもよい。この場合の画像の選択基準は、あらかじめ設定されていてもよいし、使用者が任意に設定できるようにしてもよい。
【００３６】
その後、ステップＳ５３へ進み、制御装置１０４は、ステップＳ２０で指定されたアルバム構成枚数（指定枚数）から選択済みのアルバム表示用画像の枚数を減算した未選択画像枚数Ｎを算出して、ステップＳ５４へ進む。ステップＳ５４では、制御装置１０４は、ステップＳ５２でアルバム表示用画像を選択した再分割時間帯をアルバム表示用画像の選択対象から除外して、ステップＳ５５へ進む。
【００３７】
ステップＳ５５では、制御装置１０４は、Ｎが０であるか否か、すなわちステップＳ２０で指定されたアルバム構成枚数分のアルバム表示用画像の選択が完了したか否かを判断する。ステップＳ５５で肯定判断した場合には、図２に示した処理に復帰する。これに対して、ステップＳ５５で否定判断した場合には、ステップＳ５６へ進む。
【００３８】
ステップＳ５６では、ステップＳ５４で除外した再分割時間帯以外の再分割時間帯の数が０ではないか否かについて判断する。ステップＳ５４で否定判断した場合には、ステップＳ５９へ進み、制御装置１０４は、このままではアルバム表示用画像を選択するための再分割時間帯が存在しないため、ステップＳ５４で除外した再分割時間帯の除外を解除して、ステップＳ５２へ戻る。これに対して、ステップＳ５６で肯定判断した場合には、ステップＳ５７へ進む。
【００３９】
ステップＳ５７では、制御装置１０４は、ステップＳ５４で除外した再分割時間帯以外の再分割時間帯の数がＮより大きいか否かを判断する。ステップＳ５７で肯定判断した場合には、ステップＳ５８へ進む。そして、ステップＳ５４で除外した再分割時間帯以外の再分割時間帯の中から、含まれる画像の数が上位Ｎの再分割時間帯を特定し、特定したＮ個の再分割時間帯のそれぞれの中からそれぞれ１枚ずつアルバム表示用画像を選択して、図２に示した処理に復帰する。これに対して、ステップＳ５７で否定判断した場合には、ステップＳ５２へ戻って処理を繰り返す。
【００４０】
なお、ステップＳ５８において、制御装置１０４は、ステップＳ５４で除外した再分割時間帯と同じ領域から分割された再分割時間帯が上位Ｎの再分割時間帯に含まれる場合には、その再分割時間帯を除外して上位Ｎの再分割時間帯を特定する。また、上位Ｎの再分割時間帯の中に同じ領域から分割された再分割時間帯が複数含まれる場合には、その中の１つのみを残し、他の再分割時間帯は上位Ｎから除外する。これによって、同じ領域から複数のアルバム表示用画像が選択されることを防ぐことができ、全体の撮影時間内から万遍なくアルバム表示用画像を選択することができる。
【００４１】
また、制御装置１０４は、含まれる画像の枚数が同じ再分割時間帯が複数ある場合には、同じ領域内から選択されたアルバム表示用画像の枚数が少ない再分割領域から優先してアルバム表示用画像を選択する。これによって、特定の領域から多くのアルバム表示用画像が選択されることを防ぐことができ、全体の撮影時間内から万遍なくアルバム表示用画像を選択することができる。
【００４２】
以上説明した本実施の形態によれば、以下のような作用効果を得ることができる。
（１）制御装置１０４は、撮影日時の時間帯ごとの撮影枚数の分布を演算して各分割時間帯ごとに画像を分類し、各撮影時間帯ごとに撮影時間間隔が所定の閾値以下の画像を再分割時間帯ごとにグループ化し、各分割時間帯ごとに、最も多くの画像が含まれる再分割時間帯の中から１枚のアルバム表示用画像を選択し、選択したアルバム表示用画像をモニタ１０６にスライドショー表示するようにした。これによって、撮影時間間隔が所定の閾値以下である場合には、短い時間に多くの撮影を行っていることから、その間に撮影された画像は撮影者が重要と考える画像である可能性が高いため、撮影者が重要と考える画像をアルバム表示用画像として選択することができる。
【００４３】
（２）制御装置１０４は、図５に示したアルバム表示用画像選択処理によって、使用者によって指定されたアルバム構成枚数になるまでアルバム表示用画像の選択を繰り返すようにした。これによって、使用者によって指定された枚数の画像を含むアルバムを作成することができる。
【００４４】
（３）制御装置１０４は、図５のステップＳ５４において、ステップＳ５２でアルバム表示用画像を選択した再分割時間帯をアルバム表示用画像の選択対象から除外するようにし、ステップＳ５６で除外した再分割時間帯以外の再分割時間帯の数が０であると判断した場合には、再分割時間帯の除外を解除するようにした。これによって、再分割時間帯を除外した結果、アルバム表示用画像を選択するための再分割時間帯が存在しなくなった場合でも、除外を解除してアルバム表示用画像の選択を続けることができる。
【００４５】
―変形例―
なお、上述した実施の形態のカメラは、以下のように変形することもできる。
（１）上述した実施の形態では、図２のステップＳ４０において、各分割時間帯ごとに撮影枚数の分布を演算し、図４に示すような各分割時間帯ごとの撮影画像枚数をグラフで表した図をその演算結果としてモニタ１０６に表示する例について説明した。しかしながら、図４に示した撮影枚数を示す棒グラフを、各画像のサムネイル画像を積み上げて表示することにより表してもよい。これによって、使用者は、各分割時間帯ごとの撮影枚数の分布を画像の内容とともに把握することができる。
【００４６】
（２）上述した実施の形態では、制御装置１０４は、図２のステップＳ４０において、ステップＳ１０で選択したアルバム用画像の最も早い撮影日時と最も遅い撮影日時の間を全体の撮影時間として算出し、この全体の撮影時間をステップＳ２０で選択したアルバム構成枚数で等間隔に分割する例について説明した。しかしながら、アルバム構成枚数にかかわらず、全体の撮影時間を何分割するかを使用者が任意に設定できるようにしてもよいし、制御装置１０４は、あらかじめ設定された数に分割するようにしてもよい。
【００４７】
（３）上述した実施の形態では、制御装置１０４は、図５に示したアルバム表示用画像選択処理を行ってアルバム表示用画像を選択する例について説明した。この図５に示す方法でアルバム表示用画像を選択した場合、各分割時間帯から何枚ずつアルバム表示用画像が選択されるかは処理を行ってみなければわからない。これに対して、各分割時間帯から必ず１枚のアルバム表示用画像が選択されるようにして、全体の撮影時間内で、アルバム表示用画像画の撮影時間間隔の均等化を図るようにしてもよい。
【００４８】
また、上記変形例（２）のように、アルバム構成枚数にかかわらず全体の撮影時間を分割するようにした場合には、アルバム構成枚数と分割時間帯の数とが異なるため、各分割時間帯から１枚ずつアルバム表示用画像を選択しても、選択した画像の合計枚数とアルバム構成枚数が一致するとは限らない。このような場合には、それぞれの分割時間帯から均等に複数枚のアルバム表示用画像を選択するようにしてもよい。例えば、アルバム構成枚数が１２枚で分割時間帯の数が３である場合には、各分割時間帯から４枚ずつアルバム表示用画像を選択するようにすればよい。
【００４９】
あるいは、それぞれの分割時間帯から何枚ずつアルバム表示用画像を選択するかを使用者が指定できるようにしてもよい。例えば、アルバム構成枚数が１２枚で分割時間帯の数が３である場合には、使用者は、分割時間帯１と分割時間帯２から５枚ずつアルバム表示用画像を選択し、分割時間帯３から２枚のアルバム表示用画像を選択するように指定すればよい。
【００５０】
あるいは、各分割時間帯から選択するアルバム表示用画像の枚数を、各分割時間帯に含まれる画像の枚数の比に応じて決定するようにしてもよい。例えば、アルバム構成枚数が１２枚で分割時間帯の数が３である場合に、分割時間帯１には４０枚、分割時間帯２には２０枚、分割時間帯３には６０枚の画像が含まれている場合には、制御装置１０４は、分割時間帯１から４枚、分割時間帯２から２枚、分割時間帯３から６枚の合計１２枚のアルバム表示用画像を選択するようにすればよい。
【００５１】
（４）上述した実施の形態では、図５のステップＳ５２で、制御装置１０４は、各分割時間帯ごとに、画像枚数が最も多い再分割時間帯に含まれる画像の中から１枚の画像をアルバム表示用画像として選択する例について説明した。しかしながら、制御装置１０４は、各分割時間帯ごとに、画像枚数が最も多い再分割時間帯に含まれる画像の中から、複数枚の画像を候補画像として選択し、選択した候補画像の中から１枚のアルバム表示用画像を選択するためのユーザインターフェースをモニタ１０６に表示して、使用者に対してアルバム表示用画像の選択を促すようにしてもよい。これによって、使用者は、複数の候補画像の中から好みの画像をアルバムに含めるように指示することができる。
【００５２】
（５）上述した実施の形態では、図２のステップＳ７０において、制御装置１０４は、アルバム表示用フォルダにコピーしたアルバム表示用画像の画像ファイルからモニタ１０６への表示用画像を読み出し、読み出した表示用画像に基づいて、モニタ１０６にアルバム表示用画像をスライドショー表示する例について説明した。しかしながら、制御装置１０４は、アルバム表示用フォルダにコピーしたアルバム表示用画像の画像ファイルからモニタ１０６への表示用画像を読み出し、読み出した表示用画像をアルバム形式で一覧表示するようにしてもよい。
【００５３】
（６）上述した実施の形態では、制御装置１０４は、図２のステップＳ１０からＳ３０におけるアルバム用画像の選択、アルバム構成枚数の指定、および対象被写体の登録の各結果に基づいて１つのアルバムに含めるアルバム表示用画像を選択する例について説明した。しかしながら、制御装置１０４は、複数のアルバムを作成するために、複数のアルバムのそれぞれについてアルバム用画像の選択、アルバム構成枚数の指定、および対象被写体の登録をあらかじめ行なっておき、その後、連続処理で各アルバム単位にアルバム表示用画像を選択するようにしてもよい。
【００５４】
（７）上述した実施の形態では、本発明をカメラ１００に適用する場合について説明した。しかしながら、画像表示機能を備えた他の機器、例えばパソコン、携帯情報端末、電子フォトフレーム等にも本発明は適用可能である。
【００５５】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００５６】
１００  カメラ、１０１  操作部材、１０２  レンズ、１０３  撮像素子、１０４  制御装置、１０５  メモリカードスロット、１０６  モニタ
【図１】
2011128938.tif 000003
【図２】
2011128938.tif 000004
【図３】
2011128938.tif 000005
【図４】
2011128938.tif 000006
【図５】
2011128938.tif 000007
【図６】
2011128938.tif 000008
【図７】
2011128938.tif 000009
【図８】
2011128938.tif 000010
【図９】
2011128938.tif 000011
【図１０】
2011128938.tif 000012